(57)【要約】【課題】円筒体のハンドルの端部に、円筒体の軸心に平行に運動するタッピング機構を設ける従来の構造では、美肌装置の軸方向の長さが長くならざるを得ず、美肌装置全体の小型化・軽量化を図ることが難しいという問題があった。よって上記問題を解決する美肌装置、即ち従来のタッピング機構を採用しながらより一層の小型化・軽量化を図った美肌装置を提供することが、本発明が解決しようとする課題である。【解決手段】従来のタッピング機構を採用した美肌装置において、柱状グリップ部の側面にパッドを位置させ、柱状グリップ部の軸心の垂直方向にピストン運動を行う配置とすると共に、前記ピストン運動用モータの出力軸の軸心を前記柱状グリップ部の軸心と平行に設けたコンパクト美肌装置により上記問題を解決した。【選択図】図１
2014073261.tif 000002
【特許請求の範囲】
【請求項１】
パッドを一端に備えたシャフトと、このシャフトの軸方向へのピストン運動機構とを柱状グリップ部に有し、
前記ピストン運動機構を、
一方向へ前記シャフトを付勢する付勢部材と、
張力が加えられると前記付勢部材の付勢力に抗う方向へ前記シャフトに力を加える線材と、
この線材に前記張力を間欠的に加える回転式のピストン運動用モータとから構成し、
前記ピストン運動が、前記ピストン運動用モータの出力軸に線材を巻き取り、線材に張力を加えることにより行われる美肌装置において、
前記柱状グリップ部の側面に前記パッドを位置させ、
前記柱状グリップ部の軸心の垂直方向に、前記ピストン運動を行う配置とすると共に、
前記ピストン運動用モータの出力軸の軸心を前記柱状グリップ部の軸心と平行に設けたコンパクト美肌装置。
【請求項２】
前記線材に働く張力方向を、張力方向を変換する支点部材により変更し、
前記線材の全ての直線部の張力方向が、ピストン運動の方向と平行であることを特徴とする請求項１に記載のコンパクト美肌装置。
【請求項３】
前記パッドを設けた側面に操作ボタンを設け、
前記パッド部分及び操作ボタンを保護する透明カバーを設けたことを特徴とする請求項１又は請求項２に記載のコンパクト美肌装置。
【請求項４】
前記透明カバーと柱状グリップ部とを組み合わせた形状が、
扁平な円柱をこの円柱の軸心に平行な面で二つに切断し、そのうちの大きいほうの形状である請求項３に記載のコンパクト美肌装置。
【請求項５】
前記平行な面が、前記柱状グリップ部の前記パッドを設けた側面と対向する側面である請求項４に記載のコンパクト美肌装置。
【発明の詳細な説明】
【技術分野】
【０００１】
本発明は、顔や腕などの肌をタッピングする美肌装置に関するものである。
【背景技術】
【０００２】
タッピングとは、指先で肌を繰り返し軽く叩きリズミカルな振動を与える手軽なスキンケアの技法をいう。マッサージ効果のほか、リラックス効果や経穴刺激効果などが得られると言われており、エステティックサロンなどではサービス内容に普通に組み込まれている。
【０００３】
特許文献１の美肌装置は、タッピングのためのシャフトのピストン運動を、以下のような構成により達成している。即ちピストン運動の一方向へシャフトを付勢する付勢部材と、張力が加えられると、付勢部材の付勢力に抗う方向へシャフトに力を与える線材と、この線材に張力を間接的に加えるアクチュエータとを備えるタッピング機構である。上記機構により、ピストン運動を行った場合でも摩擦音がなく静かであり、タッピング機構の小型化・軽量化を図ることができ、いっそうハンディ化した美肌装置を提供できるとしている。
【０００４】
実施形態としては、グリップ部となる略円筒体のハンドル内に、アクチュエータであるモータや電源、制御装置を内蔵し、筒体の端部に上記タッピング機構を備える構成としている。またピストン運動の動作方向は、円筒体の軸心方向である。
【先行技術文献】
【特許文献】
【０００５】
【特許文献１】国際公開第２０１２／０８６３５１号パンフレット
【発明の概要】
【発明が解決しようとする課題】
【０００６】
上記構成においては、円筒体のハンドルの端部に、円筒体の軸心に平行に運動するタッピング機構を設けているので、美肌装置の軸方向の長さが長くならざるを得ず、美肌装置全体の小型化・軽量化を図ることが難しいという問題があった。よって、発明が解決しようとする課題は、従来のタッピング機構を採用しながらより一層の小型化・軽量化を図った美肌装置を提供することである。
【課題を解決するための手段】
【０００７】
本発明は、上記課題を解決すべく次のような技術的手段を講じた。
すなわち、請求項１記載の発明は、パッドを一端に備えたシャフトと、このシャフトの軸方向へのピストン運動機構とを柱状グリップ部に有し、前記ピストン運動機構を、一方向へ前記シャフトを付勢する付勢部材と、張力が加えられると前記付勢部材の付勢力に抗う方向へ前記シャフトに力を加える線材と、この線材に前記張力を間欠的に加える回転式のピストン運動用モータとから構成し、前記ピストン運動が、前記ピストン運動用モータの出力軸に線材を巻き取り、線材に張力を加えることにより行われる美肌装置において、前記柱状グリップ部の側面に前記パッドを位置させ、前記柱状グリップ部の軸心の垂直方向に、前記ピストン運動を行う配置とすると共に、前記ピストン運動用モータの出力軸の軸心を前記柱状グリップ部の軸心と平行に設けたコンパクト美肌装置である。
【０００８】
また、請求項２記載の発明は、前記線材に働く張力方向を、張力方向を変換する支点部材により変更し、前記線材の全ての直線部の張力方向が、ピストン運動の方向と平行であることを特徴とする請求項１に記載のコンパクト美肌装置である。
【０００９】
また、請求項３記載の発明は、前記パッドを設けた側面に操作ボタンを設け、前記パッド部分及び操作ボタンを保護する透明カバーを設けたことを特徴とする請求項１又は請求項２に記載のコンパクト美肌装置である。
【００１０】
また、請求項４記載の発明は、前記透明カバーと柱状グリップ部とを組み合わせた形状が、扁平な円柱をこの円柱の軸心に平行な面で二つに切断し、そのうちの大きいほうの形状である請求項３に記載のコンパクト美肌装置である。
【００１１】
また、請求項５記載の発明は、前記平行な面が、前記柱状グリップ部の前記パッドを設けた側面と対向する側面である請求項４に記載のコンパクト美肌装置である。
【発明の効果】
【００１２】
請求項１記載の発明によれば、柱状グリップ部の側面にパッドを位置させ、柱状グリップ部の軸心の垂直方向に、ピストン運動を行う配置とすることにより、グリップ部の端部にピストン運動機構を有する従来例と比較して装置をコンパクトにすることができる。更にこの構成においてモータの出力軸の軸心を、グリップ部の軸心と平行に設けたことにより、この点でも装置をコンパクトにできる。
【００１３】
これにより美肌装置を主に使用する女性が、その手のひらに美肌装置を収めることができ、力の弱い女性でも適切に装置を保持できるようになり、装置を長時間使用しても疲労しない。
【００１４】
請求項２記載の発明によれば、請求項１に記載の発明の効果に加えて、線材の全ての直線部分の張力方向が、ピストン運動の方向と平行であることにより、支点部材を少なくでき、それにより線材と支点部材との間の摩擦を少なくし、線材と支点部材との間の動力伝達ロスや発熱を抑えることができる。
【００１５】
請求項３記載の発明によれば、請求項１または請求項２に記載の発明の効果に加えて、一つのカバーでボタン類とパッド部分の両方を保護できる。それによりこの美肌装置の使用開始や片付けが容易にできるようになり、美肌装置の使い勝手が向上する。また透明であることにより、パッド部の状況などを簡易に確認できる。
【００１６】
請求項４記載の発明によれば、請求項３に記載の発明の効果に加えて、透明カバーと柱状グリップ部とを組み合わせた形状が、扁平な円柱をこの円柱の軸心に平行な面で二つに切断し、そのうちの大きいほうの形状であることにより、グリップ部の掌にあたる部分が円柱の外周曲面であり、装置を長時間使用しても使用者が疲労しない。
【００１７】
請求項５記載の発明によれば、請求項４に記載の発明の効果に加えて、平行な面を美肌装置本体に設けたことにより、その平行な面で美肌装置を載置して保管することができる。即ち、モータや電池などの比較的重量がある部分を載置面に近くすることができ、圃感じの安定性が向上する。
【図面の簡単な説明】
【００１８】
【図１】本発明にかかる第一実施形態のコンパクト美肌装置の全体斜視図である。
【図２】図１のコンパクト美肌装置の側面方向の断面図である。
【図３】図１のコンパクト美肌装置を保持した状態を示す図である。
【図４】図１のコンパクト美肌装置の使用状態を示す図である。
【図５】図１のコンパクト美肌装置のヘッドの部分拡大図である。
【発明を実施するための形態】
【００１９】
上記技術思想に基づいて具体的に構成された実施の形態について以下に図面を参照しつつ説明する。
【００２０】
図１は本発明にかかる第一実施形態のコンパクト美肌装置の全体斜視図である。第一実施形態のコンパクト美肌装置1は、全体形状が概略直径100[mm]、高さ40[mm]程度の扁平な円柱の形状をしている。更に詳しくコンパクト美肌装置１の形状を説明すると、この扁平な円柱を、その円柱の軸心から略40[mm]離れた平行な面で切断し、二つに分離した図形のうち大きい方の形状となる。この平行な切断面が、図１内の下方に位置し、コンパクト美肌装置１の載置平面３０となる。
【００２１】
本件においては特に指摘がない限り、載置平面３０を底面、パッド２やライト等がある面を操作面とする。また扁平な円柱の上下面に位置する面を左右面とし、図１で全体が見える面を左面とする。
【００２２】
コンパクト美肌装置１は、本体を形成する柱状グリップ部３と透明カバー２により構成する。ここで「柱状」とは、３次元図形のうち柱体のように、ある一方向への長さが、他の二方向への長さよりも長い図形を意味するものであり、その最も長さが長い方向へ沿った軸心を有する。図１においては、Ｃ−Ｃで示したものが柱状グリップ部３の軸心であり、柱状グリップ部３の左右面の中央、かつ載置平面３０と操作面の中央に位置する直線になる。
【００２３】
コンパクト美肌装置１の本体である柱状グリップ部３の一側面、即ち操作面には、ピストン運動機構によりピストン運動をするヘッド２０以外に、操作スイッチであるモード選択ボタン７や電源ボタン９を設けると共に、選択したモードを使用者に知らせる３つのモード表示ライト６、電源が入っていることを知らせる電源表示ライト８、充電中であることを知らせる充電表示ライト１０を設ける。
【００２４】
柱状グリップ部３の左右面にはイオン導入用の手元電極４を設け、柱状グリップ部３の端面である円柱曲面には直流電源を供給するためのＤＣジャック１１を設ける。
【００２５】
図２は第一実施形態のコンパクト美肌装置１の側面方向の断面図である。図２によりコンパクト美肌装置１のピストン運動機構の構成等を説明する。なお図２の説明においては図２を正面から見て上下左右と言う。
【００２６】
柱状グリップ部３は、後述するソフトパッド２（不図示）を一端に備えるシャフト２１と、このシャフト２１の軸方向へのピストン運動機構を有する。ソフトパッド２はヘッド２０に装着するもので、顔や腕などの肌をタッピングする際に用いる。
【００２７】
ピストン運動機構は、一方向へシャフト２１を付勢する付勢部材と、張力が加えられると前記付勢部材の付勢力に抗う方向へシャフト２１に力を加える線材と、この線材に前記張力を間欠的に加える回転式のピストン運動用モータ２７とから構成される。
【００２８】
シャフト２１は、ヘッド２０の作用面と垂直に固着する。シャフト２１の下方は細長い円柱構造で、その部分にシャフト２１を下方向に付勢する付勢部材のスプリング２５を嵌装する。
【００２９】
柱状グリップ部３には固定案内ピン２３を２本設けると共に、その２本の固定案内ピン２３を挟むように、シャフト２１に移動案内ピン２２を１本設ける。２本の固定案内ピン２３と１本の移動案内ピン２２は後述する線材の張力方向を変換する支点部材である。線材の端部を柱状グリップ部３に固定したうえで、左側の固定案内ピン２３の上側、中央の移動案内ピン２２の下側、右側の固定案内ピン２３の上側という順序で巻き回す。このように巻きまわすことで、この線材に張力が加わると、下方向に付勢するスプリング２５の付勢力に抗う方向、即ち上方向に向かってシャフト２１に力が加わり、シャフト２１が動作する。また、二つの固定案内ピン２３と移動案内ピン２２とは、巻き回した線材の直線部がシャフト２１のピストン運動の方向と略平行になるような位置関係にする。
【００３０】
第一実施形態において、線材にはステンレスワイヤ２２を用いる。そしてこのステンレスワイヤ２２の他方の端部は、回転式のピストン運動用モータ２７の出力軸に嵌め込んだボビン２６に固定する。ピストン運動用モータ２７の出力軸の軸心は、柱状グリップ部３の軸心Ｃと平行にし、右側の固定案内ピン２３とボビン２６との位置関係は、その間の線材が、シャフト２１のピストン運動の方向と略平行になる位置関係とする。
【００３１】
この構成で、ピストン運動用モータ２７を間欠的に駆動する、即ち回転のための電流を間欠的に供給する。電流が供給されているときは、ステンレスワイヤ２２がボビン２６に巻付き、移動案内ピン２２、及びこれと一体となったシャフト２１が上方向に持ちあがる。電流の供給が停止されているときは、ピストン運動用モータ２７はフリーになり、スプリング２５の付勢力によりシャフト２１は下方向に移動する。その際ステンレスワイヤ２２はボビン２６から解かれる。
【００３２】
ピストン運動用モータ２７の下に、載置平面３０に沿うように充電池２８を備える。また、基板２９を、操作スイッチ７、９がある操作面に略平行に配置する。基板２９には表示ライト６，８等に光を供給する光源や、操作ボタン７，９の押圧動作により入力信号を発するスイッチ類、及びその入力信号によりピストン運動用モータ２７の駆動や光源を制御する制御装置を搭載する。
【００３３】
柱状グリップ部３の側面である操作面にパッド２を位置させ、柱状グリップ部３の軸心Ｃの垂直方向に、ピストン運動を行う配置とすることにより、グリップ部の端部にピストン運動機構を有する従来例と比較して装置をコンパクトにすることができる。更にこの構成においてピストン駆動用モータ２７の出力軸の軸心を、柱状グリップ部３の軸心Ｃと平行に設けたことにより、この点でも装置をコンパクトにできる。なお、「垂直方向」と「平行」の記載は、厳密なものではなく、この配置の効果を達成できる範囲で許容されるものである。また、「垂直方向」とはコンパクト美肌装置１の左右のいずれかから見た場合の位置関係であり、三次元的には食い違い軸になっているものを含む。
【００３４】
これにより美肌装置を主に使用する女性が、その手のひらに美肌装置を収めることができ、力の弱い女性でも適切に装置を保持できるようになり、装置を長時間使用しても疲労しない。
【００３５】
線材の全ての直線部分の張力方向が、ピストン運動の方向と平行であることにより、支点部材を少なくでき、それにより線材と支点部材との間の摩擦を少なくし、線材と支点部材との間の動力伝達ロスや発熱を抑えることができる。なお、この構成においても「平行」の記載は、厳密なものでなく、この配置の効果を達成できる範囲で許容されるものである。
【００３６】
前記パッド部分２及び操作ボタン７，９を保護する透明カバー５を設けたことにより、一つのカバーで操作ボタン７，９とパッド部分２の両方を保護できる。それによりこの美肌装置の使用開始や片付けが容易にできるようになり、美肌装置の使い勝手が向上する。また透明であることにより、パッド２の状況などを簡易に確認できる。
【００３７】
透明カバー５と柱状グリップ部３とを組み合わせた形状が、扁平な円柱をこの円柱の軸心に平行な面で二つに切断し、そのうちの大きいほうの形状であることにより、柱状グリップ部３の掌にあたる部分が円柱の外周曲面であり、装置を長時間使用しても使用者が疲労しない。
【００３８】
載置平面３０を美肌装置本体に設けたことにより、その平行な面で美肌装置を載置して保管することができる。即ち、モータや電池などの比較的重量がある部分を載置面に近くすることができ、圃感じの安定性が向上する。
【００３９】
図３から図５を用いてコンパクト美肌装置１の使用方法を説明する。図３にはコンパクト美肌装置１を女性が片手で保持した状態を、図４にはコンパクト美肌装置１の使用状態を、図５にはコンパクト美肌装置１のヘッド２０の部分拡大図を示す。また図５（ａ）はヘッド２０が露出した状態を、図５（ｂ）はヘッド２０にソフトパッド２を装着する状態を、図５（ｃ）は化粧用のコットン３２をコットンクランプ３１でヘッド２０に装着する状態を示す。
【００４０】
図３に示すように、第一実施形態にかかるコンパクト美肌装置１は、主な使用者である成人女性が片手で握れる程度の大きさである。掌に接触する部分は、載置平面３０の一部と、柱状グリップ部３の円柱の外周曲面である。そして、使用者は人差し指や中指を、柱状グリップ部３のソフトパッド２と対向する側面に沿える。そして、図４に示すように、使用者はソフトパッド２等を、顔の肌にあて、タッピング等を行う。
【００４１】
第一実施形態にかかるコンパクト美肌装置１は、３種のモードで運転することができる。３種のモードは、「ＴＡＰ」、「ＩＯＮ＋」、「ＩＯＮ−」であり、モード選択ボタン７を押すことにより選択することができる。
【００４２】
「ＴＡＰ」モードでは、図５（ｂ）にあるようにヘッド２０にソフトパッド２を装着して、ヘッド２０と一体としてソフトパッド２が往復動を行い、顔などの皮膚を連続的にたたく。
【００４３】
「ＩＯＮ＋」モードは、図５（ａ）にあるようにヘッド２０をそのまま用いる。ヘッド２０は金属製で顔に当てると使用者の身体を経由して柱状グリップ部３の手元電極４との間で通電し、皮膚表面のイオン化した老廃物を浮き出させる。この場合ヘッド２０は動作しない。
【００４４】
「ＩＯＮ−」モードは、図５（ｃ）にあるように、ヘッド２０にコットン３２をコットンクランプ３１により固定し、化粧水などをそのコットン２０にしみこませる。そしてヘッド２０を「ＴＡＰ」モードより振幅を小さくし、振動数が大きくして振動させる。この高速微振動を皮膚に与えながら、化粧水のイオン化した成分を効率よく皮膚に浸透させる。
【００４５】
第一実施形態では付勢部材としてスプリング２５を用いたが、これはコイルばねに限らず、例えば板バネ等を含む概念である。
【００４６】
また、線材に働く張力の方向を変換する支点部材として、２本の固定案内ピン２３と１本の移動案内ピン２４を用いたが、例えばそれぞれ１本ずつにすることもできる。また、線材の動きをよくするため、支点部材として滑車を用いることもできる。
【００４７】
１  コンパクト美肌装置
２  ソフトパッド
３  柱状グリップ部
４  手元電極
５  透明カバー
６  モード表示ライト
７  モード選択ボタン
８  電源表示ライト
９  電源ボタン
１０  充電表示ライト
１１  ＤＣ電源ジャック
２０  ヘッド
２１  シャフト
２２  ステンレスワイヤ
２３  固定案内ピン
２４  移動案内ピン
２５  スプリング
２６  巻付ボビン
２７  ピストン運動用モータ
２８  充電池
２９  基板
３０  載置平面
３１  コットンクランプ
３２  コットン
Ｃ  柱状グリップ部の軸心
【図１】
2014073261.tif 000003
【図２】
2014073261.tif 000004
【図３】
2014073261.tif 000005
【図４】
2014073261.tif 000006
【図５】
2014073261.tif 000007